(57)【要約】【課題】  ＣＡＴＶや衛星放送では受信可能なチャンネル数が多い。優先キャプチャ画面を用いて番組選択を容易に行う。【解決手段】  おもしろい番組をやっているかもしれないので全ての番組をザッピングしたい。その際におもしろそうな番組をチェックしておきたい。そのためにキャプチャボタンを押した回数に応じてキャプチャ画面を一時的に優先表示させ、ザッピングが終了したら優先順位を付け一時的に表示させたキャプチャ画面から番組を選択する。【選択図】  図１
2007288261.tif 000002
【特許請求の範囲】
【請求項１】
チャンネルを指定する制御信号に応じて指定されたチャンネルで放送されている映像を第１の画面に表示するチャンネル選択手段と、
前記チャンネルを指定する制御信号が入力された場合に前記指定されたチャンネルで放送されている映像もしくはそれに対応する情報を前記第１の画面とは異なる第２の画面に表示する手段とを有し、
指定するチャンネルの変更を複数回行い、前記複数回行う過程で互いに異なるチャンネルで放送されている映像が第２の画面に表示されているそれぞれの場合に、前記チャンネルを指定する制御信号が入力されたのに応じて複数の前記異なる映像を第２の画面上の互いに異なる位置に設定して表示する手段とを有することを特徴とする放送受信表示装置。
【請求項２】
前記チャンネルを指定する制御信号が入力されたのに応じて複数の前記異なる映像を第２の画面上の互いに異なる位置に設定して表示する手段において、前記チャンネルを指定する制御信号に応じ、前記異なる映像に識別効果を施したことを特徴とする請求項１に記載の放送受信表示装置。
【請求項３】
チャンネルを指定する制御信号に応じて指定されたチャンネルで放送されている映像を第１の画面に表示するチャンネル選択手段において、指定されたチャンネルを一時記憶する手段を有することを特徴とする請求項１に記載の放送受信表示装置。
【発明の詳細な説明】
【技術分野】
【０００１】
本発明は、放送受信表示装置及び選局方法に関する。
【背景技術】
【０００２】
デジタル衛星放送等における放送の多チャンネル化に伴って受信可能チャンネル数は50を超える例も珍しくなくなり、この中から所望の番組を選択する操作は大変煩雑となってきている。例えば、今現在視聴している番組のCM時間や興味のないコーナーであった場合に、裏番組を確認しておきたいときがある。このような場合には、別のチャンネルに切替えて映り出された映像をごく短い時間で気に入るかどうかを判断し、気に入らなければまた別のチャンネルへと切替えていくという操作を繰り返し行っている（この操作を以下に”ザッピング”という）。もしザッピング中に気に入った番組があった場合は、以下のような手順を踏んでいた。
【０００３】
１.気に入ったチャンネルが見つかったらそのチャンネル番号を覚えておく。
【０００４】
２.別のチャンネルでも気に入った番組がないか、ザッピングの続きを行う。
【０００５】
３.ひと通り確認を終えた後で、覚えておいた気に入ったチャンネル番号に切替えて、番組視聴に至る。
【０００６】
この際、気に入った番組が複数あった場合は、幾つものチャンネル番号を覚えておかなくてはならなかった。また、どのチャンネル番号がより気に入ったかの優先順位も覚えておく必要があった。このため、ザッピングによるチャンネル切替えは煩雑な作業を視聴者に強いることとなっていた。そこで、裏番組の確認を行う方法としては特許文献１で、多数のチャンネルの番組内容をキャプチャ画面で確認できるような提案が開示されている。
【０００７】
前述の特許文献１では、主画面とは別領域に気に入るかどうかに関わらず裏番組を表示し、そのなかから、気に入った番組がもし見つかれば番組選択を行うというものである。表示された裏番組には、視聴者の気に入り度合いという概念は存在しない。
【特許文献１】特開平10-51709号公報
【発明の開示】
【発明が解決しようとする課題】
【０００８】
番組を視聴していて裏番組で気に入った番組を探すザッピングの際、気に入った番組が複数あった場合は全てのチャンネル番号を記憶しておかなければならなかった。このため、曖昧な記憶によるチャンネル切替えにより、気に入った番組を間違えてしまう課題があった。また、複数の気に入った番組に優先順位をつけておくことは出来なかった。このため、複数の気に入った番組があった場合、気に入り度合いも覚えておく必要があった。
【課題を解決するための手段】
【０００９】
チャンネルを指定する制御信号に応じて指定されたチャンネルで放送されている映像を第１の画面に表示するチャンネル選択手段と、
前記チャンネルを指定する制御信号が入力された場合に前記指定されたチャンネルで放送されている映像もしくはそれに対応する情報を前記第１の画面とは異なる第２の画面に表示する手段とを有し、
指定するチャンネルの変更を複数回行い、前記複数回行う過程で互いに異なるチャンネルで放送されている映像が第２の画面に表示されているそれぞれの場合に、前記チャンネルを指定する制御信号が入力されたのに応じて複数の前記異なる映像を第２の画面上の互いに異なる位置に設定して表示する手段とを有することを特徴とする。
【００１０】
本発明では、気に入った番組に、番組の気に入り度合いを簡単に付与し、気に入り度合いによって気に入った番組を優先表示することで番組選択が容易にできる。
【発明の効果】
【００１１】
実施例１では、気に入った番組のなかでも、より気に入った番組の映像を表示画面左側の気に入り度合いの高いキャプチャ画面に表示することにより、視聴者はより気に入った番組を簡単に見つけることができるという効果がある。
【００１２】
実施例２では、キャプチャ画面に気に入り度合いに応じた色枠をつけることにより、視聴者は気に入り度合いの判別がし易くなるという効果がある。
【００１３】
実施例３では、ザッピング中で未確認であったチャンネルも確認することが可能となり、視聴者は気に入り番組をもれなく確認することができるという効果がある。
【発明を実施するための最良の形態】
【００１４】
次に、本発明の詳細を実施例の記述に従って説明する。
【実施例１】
【００１５】
図1に本放送受信表示装置の構成図を示す。101、104、107はアンテナ、102、105、108は各々のアンテナから受波された信号を復調するためのチューナ、103、106、109は復調された映像信号を複号化するデコーダである。各デコーダからの映像信号はセレクタ110へ出力され、各入力系統の映像信号を切替えてスケーラ120及び合成部124へと受け渡す。スケーラ120は映像データを縮小し、メモリ制御部121へと受け渡す。登録メモリ122はキャプチャ画面を一旦登録しておくためのメモリ、表示メモリ123はキャプチャ画面を出力するための表示用メモリとして機能する。メモリ制御部121はキャプチャ画面を登録メモリ122へと書き込むとともに、システム制御部130からの指示により登録メモリ122からキャプチャ画面を読み出して表示メモリ123へと書き込む。表示メモリ123から読み出されたキャプチャ画面は、合成部124へと受け渡される。合成部124はスケーラ120及びセレクタ110からの映像データとを合成する。表示器125は映像データを表示出力するもので、表示デバイスはマトリクス電極構造を持つフラットパネル（液晶、プラズマ等）でもCRTでもよい。システム制御部130はシステム全体の制御を行うもので、CPUやメモリで構成される。131は本システムを操作するリモコンで詳細について後述する。本実施例ではリモコンとしているが、表示器にタッチパネルを組み合わせた操作形態であってもよい。132はリモコンからの信号をシステム制御部130へ受け渡すI/F部、133はシステム制御部130からの制御信号を各ブロックへ受け渡すバスである。
【００１６】
リモコン131の正面図を図２に示す。図２の201はリモコン操作に応じた信号送出部、202はキャプチャ番組を選択するためのカーソルボタン、203はチャンネルを切替えるためのチャンネルアップダウンボタン、204は番組映像をキャプチャするためのキャプチャボタンである。キャプチャボタン204は、番組が気に入った場合に押下することでキャプチャするとともに、キャプチャボタンを押下した回数により、気に入り度合いを設定することができ、回数が多いほど気に入り度が高いとする。すなわち、
キャプチャボタン１度押下・・・気に入り度合い１（気に入り度：低）
キャプチャボタン２度押下・・・気に入り度合い２（気に入り度：中）
キャプチャボタン３度押下・・・気に入り度合い３（気に入り度：高）
のように対応付けられる。
【００１７】
このときシステム制御部130は、チャンネル番号と気に入り度合いの情報を対応付けて、システム制御部130の図示しないメモリに格納しておく。メモリ制御部121はシステム制御部130からの指示により、スケーラ120からの縮小された映像データをキャプチャして、登録メモリ122へと書き込む。次に、登録されたキャプチャ画面を表示出力するため、登録メモリ122から個々のキャプチャ画面を読み出し、キャプチャ画面の順番を並べ替えて表示メモリ123へと書き込む処理を行う。この処理により表示出力用のキャプチャ画面が構成され、合成部124へと受け渡される。本実施例では、気に入り度合いの高いキャプチャ画面を表示画面向かって左側から並べて表示するようにし、キャプチャ画面数は最大４つとしている。
【００１８】
キャプチャ画面数は、キャプチャ画面の画面比率を保ちつつ、縮小し過ぎて視認性を失わないのであればこの限りではない。
【００１９】
合成部124では、メモリ制御部121からのキャプチャ画像とセレクタ110からの受信番組画像とを合成する。そして、表示器125にて表示出力される。
【００２０】
次に、番組を視聴していてザッピングを行う場合について説明する。BSデジタルチューナ102の番組を視聴していてＣＭなどになり、裏番組で気に入った番組が放送されていないかを確認したいとすると、図２のチャンネルアップダウンボタン203でチャンネルを切替えていく。そして気に入った番組を見つけたらキャプチャボタン204を1度押下する。すると図１のシステム制御部130はメモリ制御部120へキャプチャ指示を出し、キャプチャ画面を取り込む。この様子を図３を用いて説明する。図３の登録メモリと表示メモリは格納されている画面構成のイメージを表している。
【００２１】
図３aでは、ｃｈ101が気に入ってキャプチャボタンを1度押下したので、登録メモリ301にはｃｈ101のキャプチャ画面が格納される。登録したキャプチャ数はひとつだけであるので、表示メモリ302には図示するようにキャプチャ画面が格納される。
【００２２】
次に図３bで、ｃｈ108が気に入ってキャプチャボタンを２度押下したので、登録メモリにはｃｈ108のキャプチャ画面が追加される。ｃｈ108はキャプチャボタン２度押下であったので、表示メモリには優先順にｃｈ108、ｃｈ101と並び替えて格納される。
【００２３】
次に図３cで、ｃｈ120が気に入ってキャプチャボタンを２度押下し、登録メモリにはｃｈ120のキャプチャ画面が追加される。ｃｈ120はキャプチャボタン２度押下であったので、表示メモリには優先順にｃｈ108、ｃｈ120、ｃｈ101と並び替えて格納される。
【００２４】
次に図３dで、ｃｈ130が気に入ってキャプチャボタンを３度押下し、登録メモリにはｃｈ130のキャプチャ画面が追加される。ｃｈ130はキャプチャボタン３度押下であったので、表示メモリには優先順にｃｈ130、ｃｈ108、ｃｈ120、ｃｈ101と並び替えて格納される。もし、キャプチャ数が４つを超えるような場合には、優先順位の低いものに上書きとしてもよいし、古いものから上書きとしてもよい。
【００２５】
そして、図４に示すように、並び替えられて格納された表示メモリからの出力画像401と、セレクタからの受信番組画像402とを画面合成することにより、表示出力画像403が得られ、表示器125に表示される。そして、図２のカーソルボタン202で任意のキャプチャ画面を選択すると、システム制御部130は選択されたキャプチャ画面に対応するチャンネルへとBSデジタルチューナ102の選局制御を行うとともに、合成部124へ画面合成を止める指示を出す。BSデジタルチューナ102からは希望するチャンネルの映像信号が出力され、表示器125に希望するチャンネルが表示されてチャンネル切替えが完了する。
【００２６】
次にシステム制御部130の動作フローチャートについて図５をもって説明する。まずS501でチャンネル切替えの検出をするとS502へと進み、キャプチャボタンが押下されたかを検出する。キャプチャボタン204が押下されなければS501へ戻る。キャプチャボタン204が押下されればS503に進み、押下された回数を記憶する。このとき受信しているチャンネル番号も一緒に記憶しておく。次にS504でメモリ制御部121へキャプチャ指示を出すと、キャプチャ画面は登録メモリ122に書き込まれる。S505で既に登録されたキャプチャ画面のなかから気に入り度を比較し、S506で気に入り度の高いキャプチャ画面から順に登録メモリ122から読み出し、S507で気に入り度の高いキャプチャ画面から表示メモリ123へとキャプチャ画面を書き込む。これにより、キャプチャ画面は気に入り度の高いものから、S508では、表示メモリ123から画面キャプチャ画像の読み出しを行い、受信番組画像と合成される。
【００２７】
以上に説明したように、ザッピング中に気に入った番組をキャプチャし、より気に入り度合いの高いキャプチャ画面を表示画面左側から表示することにより、視聴者は気に入った番組を確実に判別でき、容易に番組選択が行うことができるという効果がある。
【実施例２】
【００２８】
システム構成は実施例１と同じなので略す。実施例１との相違点は、キャプチャ画面に枠をつけ、気に入り度合いに応じての枠の色を変えるという処理を加えている点である。図６を用いて説明する。実施例１と同様にキャプチャ画面を表示メモリに並べ替えて書き込む。
【００２９】
キャプチャ画面が表示メモリに格納された後、キャプチャ画面の領域を縁取るようにして枠データを上書きする。ここで図７を用いて説明する。図７のaでキャプチャ画面が書き込まれ、図７のbでそのキャプチャ画面を縁取るように上書きする。ここでは上下端に10ライン分、左右端に10画素分の枠としている。図６に戻り、図６のaでは気に入り度が１であるので、気に入り度が１に応じた色枠を付与する。図６のbでは気に入り度が２であるので、気に入り度が２に応じた色枠を付与する。図６のcでは気に入り度が２であるので、気に入り度が２に応じた色枠を付与する。図６のdでは気に入り度が３であるので、気に入り度が３に応じた色枠を付与する。
【００３０】
以上に説明したように、ザッピング中にキャプチャ画面に気に入り度合いに応じた色枠をつけることにより、視聴者は気に入り度合いの判別がし易くなるという効果がある。
【実施例３】
【００３１】
システム構成は実施例１と同じなので略す。実施例１、実施例２との相違点は、リモコンに保留ボタンを加えている点である。図８に保留ボタン701を具備した実施例３のリモコンの正面図を示す。
【００３２】
実施例１と同様に、BSデジタル放送のザッピングを行っていて、切替えたチャンネルがたまたまCM放送中で番組内容が確認できなかった場合がある。その際、保留ボタン701を押下すると、確認できなかったチャンネル番号をシステム制御部130の図示しないメモリに記憶しておく。ひと通りのザッピングを終えたあとで、システム制御部130は記憶していた未確認チャンネル番号への切替え指示をBSデジタルチューナ102に出す。
【００３３】
システム制御部130のフローチャートについて図９を用いて説明する。S801でチャンネル切替えを検出するとS802へと進み、保留ボタンが押下されるかを検出する。押下されていなければS801へも戻り、押下されたことを検出するとS803で押下されたときのチャンネル番号を記憶する。S804でチャンネル操作が行われたならば、ザッピングがまだ終了していないのでS801へと戻る。S804でチャンネル切替えを検出しなければ、ザッピングが終了したとみなしてS805へと進む。S805では、未確認であったチャンネル番号に切替える処理を行う。
【００３４】
以上のフローチャートの後で、図５のフローチャートのS502以降のキャプチャボタン押下の処理ステップと同様とすることで、未確認であったチャンネルの気に入り度合いも設定可能である。
【００３５】
以上により、ザッピング中で未確認であったチャンネルも確認することが可能となり、視聴者は気に入り番組を見逃すことはなくなるという効果がある。
【図面の簡単な説明】
【００３６】
【図１】実施例１のシステム構成図
【図２】実施例１のリモコン正面図
【図３】実施例１の説明図
【図４】実施例１の画面合成図
【図５】実施例１のフローチャート
【図６】実施例２の説明図
【図７】実施例２の説明図
【図８】実施例３のリモコン正面図
【図９】実施例３のフローチャート
【符号の説明】
【００３７】
101  BSデジタルチューナ用アンテナ
102  BSデジタルチューナ
103  BSデジタルデコーダ
104  地上波アナログチューナ
105  地上波アナログチューナ
106  地上波アナログデコーダ
107  地上波デジタルチューナ
108  地上波デジタルチューナ
109  地上波デジタルデコーダ
110  セレクタ
120  スケーラ
121  メモリ制御部
122  登録メモリ
123  表示メモリ
124  合成部
125  表示器
130  システム制御部
131  リモコン
132  リモコンI/F
133  バス
201  信号送出部
202  カーソルボタン
203  チャンネルアップ/ダウンボタン
204  キャプチャボタン
401  表示メモリ出力画像
402  受信番組画像
403  表示出力画像
801  保留ボタン
【図１】
2007288261.tif 000003
【図２】
2007288261.tif 000004
【図３】
2007288261.tif 000005
【図４】
2007288261.tif 000006
【図５】
2007288261.tif 000007
【図６】
2007288261.tif 000008
【図７】
2007288261.tif 000009
【図８】
2007288261.tif 000010
【図９】
2007288261.tif 000011